(57)【要約】【課題】単一の駆動手段で複数の可動体を動作させると共に、駆動手段に作用する負荷を軽減し得る遊技機を提供する。【解決手段】第１の可動体４５が、一対の第１ガイド体６５,７０に移動自在に支持される。第２の可動体４６が、一対の第２ガイド体６６,７１に移動自在に支持される。第１の可動体４５と第２の可動体４６とは、駆動モータ７９で作動される作動機構８０によって上下方向に相互に反対方向に移動するよう構成される。そして、一方の可動体４５,４６が上から下に移動する動きが、他方の可動体４５,４６の下から上への移動を補助する駆動力として作用するよう構成される。【選択図】図９
2015173910.tif 000002
【特許請求の範囲】
【請求項１】
動作による演出を行う可動演出装置を備えた遊技機において、
前記可動演出装置は、
駆動手段と、
前記駆動手段の駆動に伴い作動する作動機構と、
前記作動機構に夫々連繋され、該作動機構の作動によって同期して移動する複数の可動体とを備え、
前記可動演出装置は、前記複数の可動体が移動する際に、一の可動体の重量が他の可動体の移動を補助する駆動力として作用する関係になるように構成される
ことを特徴とする遊技機。
【請求項２】
前記複数の可動体は前後方向に離れた位置を移動するよう構成されると共に、該複数の可動体は移動途中で前後に重なるよう構成される請求項１記載の遊技機。
【請求項３】
前記作動機構に連繋される第１の可動体および第２の可動体は上下方向に往復移動自在に支持されると共に、両可動体の重量は異なるように設定され、前記作動機構は、前記駆動手段の駆動によって該両可動体を連動して相互に逆方向に移動させるよう構成される請求項１または２記載の遊技機。
【請求項４】
前記作動機構は、重量の重い可動体を下方の待機位置と上方の作動位置との間を往復移動すると共に、重量の軽い可動体を上方の待機位置と下方の作動位置との間を往復移動するよう構成される請求項３記載の遊技機。
【発明の詳細な説明】
【技術分野】
【０００１】
この発明は、複数の可動体を動作させる可動演出装置を備えた遊技機に関するものである。
【背景技術】
【０００２】
代表的な遊技機であるパチンコ機は、機内にセットされる遊技盤に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
前記パチンコ機では、前記枠状装飾体等に、所要の動作を行う複数の可動体を備えた可動演出装置を配設し、前記図柄表示装置で行われる遊技演出に合わせて複数の可動体を動作させることにより、視覚的な演出効果を向上させ、遊技の興趣を高めるようにしたパチンコ機も知られている(例えば、特許文献１参照)。
【先行技術文献】
【特許文献】
【０００４】
【特許文献１】特開２００９−２３３２０９号公報
【発明の概要】
【発明が解決しようとする課題】
【０００５】
特許文献１に開示された可動演出装置は、各可動体(回転装飾部材,回転体)毎に専用の駆動手段を備えており、各駆動手段を個別に駆動制御することで各々の可動体を動作させるよう構成されている。すなわち、可動体と同数の駆動手段が必要となり、コストが嵩むと共に、複数の駆動手段の設置スペースを確保するために他の遊技部品の設置スペースを圧迫する難点が指摘される。また、特許文献１に開示された可動演出装置は、回転体(可動体)および該回転体の駆動モータが搭載された回転装飾部材(可動体)を上下動するよう構成されているため、回転装飾部材の駆動モータとして出力の大きなものが必要となってコストの増大を招く問題もある。
【０００６】
すなわち本発明は、従来の技術に係る遊技機に内在する前記課題に鑑み、これを好適に解決するべく提案されたものであって、単一の駆動手段で複数の可動体を動作させると共に、駆動手段に作用する負荷を軽減し得る遊技機を提供することを目的とする。
【課題を解決するための手段】
【０００７】
前記課題を克服し、所期の目的を達成するため、本願の請求項１に係る発明は、
動作による演出を行う可動演出装置(44)を備えた遊技機において、
前記可動演出装置(44)は、
駆動手段(79)と、
前記駆動手段(79)の駆動に伴い作動する作動機構(80)と、
前記作動機構(80)に夫々連繋され、該作動機構(80)の作動によって同期して移動する複数の可動体(45,46)とを備え、
前記可動演出装置(44)は、前記複数の可動体(45,46)が移動する際に、一の可動体(45,46)の重量が他の可動体(45,46)の移動を補助する駆動力として作用する関係になるように構成されることを要旨とする。
【０００８】
請求項１に係る発明によれば、駆動手段により作動する作動機構に複数の可動体を連繋するよう構成したので、単一の駆動手段により複数の可動体を動作させることができ、コストの増加を抑制し得ると共に省スペース化を図り得る。また、一の可動体の重量が他の可動体の移動を補助する駆動力として作用するよう構成したので、駆動手段の駆動力を軽減でき、小型の駆動手段を採用可能になる。
【０００９】
請求項２に記載の発明では、前記複数の可動体(45,46)は前後方向に離れた位置を移動するよう構成されると共に、該複数の可動体(45,46)は移動途中で前後に重なるよう構成されることを要旨とする。
請求項２に係る発明によれば、複数の可動体が前後に重なったり重ならなくなる動作演出によって興趣を向上し得る。
【００１０】
請求項３に記載の発明では、前記作動機構(80)に連繋される第１の可動体(45)および第２の可動体(46)は上下方向に往復移動自在に支持されると共に、両可動体(45,46)の重量は異なるように設定され、前記作動機構(80)は、前記駆動手段(79)の駆動によって該両可動体(45,46)を連動して相互に逆方向に移動させるよう構成されることを要旨とする。
請求項３に係る発明によれば、上下方向に移動するよう支持された第１の可動体および第２の可動体を連動して相互に逆方向に移動するよう構成したので、一方の可動体の重量を他方の可動体の駆動力として効率的に作用させ得る。
【００１１】
請求項４に記載の発明では、前記作動機構(80)は、重量の重い可動体(46)を下方の待機位置と上方の作動位置との間を往復移動すると共に、重量の軽い可動体(45)を上方の待機位置と下方の作動位置との間を往復移動するよう構成されることを要旨とする。
請求項４に係る発明によれば、重量の重い可動体の重量によって重量の軽い可動体を上方の待機位置に安定して保持し得ると共に、重量の重い可動体を作動位置から待機位置へ下降移動する際には、重量の軽い可動体の作動位置から待機位置への上昇移動を補助する駆動力を大きくし得る。
【発明の効果】
【００１２】
本発明に係る遊技機によれば、複数の可動体を動作させる単一の駆動手段に作用する負荷を軽減し得る。
【図面の簡単な説明】
【００１３】
【図１】実施例に係るパチンコ機を示す正面図である。
【図２】実施例に係る遊技盤の正面図であって、可動体が待機位置の状態で示している。
【図３】実施例に係る設置部材を配設した遊技盤を前側から見た概略斜視図であって、可動体が待機位置の状態で示している。
【図４】実施例に係る設置部材を配設した遊技盤の縦断側面図であって、可動体が待機位置の状態で示している。
【図５】実施例に係る設置部材を配設した遊技盤の要部横断平面図であって、可動演出装置の第１支持体側を示している。
【図６】実施例に係る設置部材を配設した遊技盤の要部横断平面図であって、可動演出装置の第２支持体側を示している。
【図７】実施例に係る設置部材と可動演出装置とを分解して前側から見た概略斜視図であって、可動体が待機位置の状態で示している。
【図８】実施例に係る可動演出装置を可動体が待機位置の状態で後側から見た概略斜視図である。
【図９】実施例に係る可動演出装置を可動体が待機位置の状態で前側から見た概略斜視図であって、支持体を省略している。
【図１０】実施例に係る可動演出装置を分解した状態で、第１可動体と左第１ガイド体とを組付ける関連部品を前側から見た概略斜視図である。
【図１１】実施例に係る可動演出装置を分解した状態で、第２可動体と左第２ガイド体とを組付ける関連部品を前側から見た概略斜視図である。
【図１２】実施例に係る可動演出装置を分解した状態で、各可動体と対応する右側のガイド体とを組付ける関連部品を前側から見た概略斜視図である。
【図１３】実施例に係る可動演出装置を分解した状態で、各可動体と対応する右側のガイド体とを組付ける関連部品を後側から見た概略斜視図である。
【図１４】実施例に係る可動演出装置の駆動機構を分解した状態を前側から見た概略斜視図である。
【図１５】実施例に係る遊技盤の正面図であって、可動体が作動位置の状態で示している。
【図１６】実施例に係る設置部材を配設した遊技盤の縦断側面図であって、可動体が作動位置の状態で示している。
【図１７】実施例に係る可動演出装置を可動体が作動位置の状態で前側から見た概略斜視図であって、支持体を省略している。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組付けられると共に、遊技盤２０の後側に、図柄を変動表示可能な表示装置１７が着脱し得るよう配設されている。また、中枠１２の前面側には、遊技盤２０を透視可能に保護する透明板１３ａで前後に開口する窓口１３ｂを覆うよう構成された装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１６】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。なお、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された遊技領域２４(後述)への打ち込み位置を変えられるようになっている。
【００１７】
(遊技盤２０について)
前記遊技盤２０は、アクリルやポリカーボネート等の合成樹脂材等からなる透明な平板状の板部材であって、該遊技盤２０の裏側に、前記表示装置１７や後述する各種の可動演出装置４４や発光演出装置４２,４３等が配設される設置部材２２が配設されている。設置部材２２は、図７に示す如く、前記遊技盤２０の外郭形状より僅かに小さい形状に形成された略矩形状の背面板１８と、該背面板１８の外周縁部から前方に突出する画壁部１９とから前方に開口した箱状に形成されて、該画壁部１９の開口前端部を遊技盤２０の裏面に当接させた状態で、当該遊技盤２０と設置部材２２とがネジ止め固定される(図３,図４参照)。そして、前記設置部材２２において前記遊技盤２０との間に画成される空間に、動作により演出を行う可動演出装置４４や発光により演出を行う発光演出装置４２,４３等が設置されて、設置部材２２を基材とする１つのユニットとして扱い得るようになっている。また、設置部材２２の背面板１８には、後述する枠状装飾体２６の窓口２６ａと前後に整列する位置に、略矩形状の開口部２２ａが前後に開口するよう開設されて、背面板１６の裏面に配設した前記表示装置１７の表示部１７ａが、前記開口部２２ａおよび窓口２６ａを介して遊技盤２０の前側に臨むよう構成される。なお、遊技盤２０は、木材板の表面に各種絵柄等が描かれた合成樹脂シート等を貼付けて装飾したものであってもよい。
【００１８】
前記遊技盤２０の前面には、略円形状に湾曲形成した案内レール２３が配設されており、該案内レール２３により画成される略円形の遊技領域２４に、前記打球発射装置から発射されたパチンコ球が打ち出されることで遊技が行われるようになっている。また、遊技盤２０には、前後に貫通する装着口(図示せず)が適宜位置に開設されており、各装着口に対して各種の遊技部品が前側から取り付けられると共に、遊技領域２４の最下部位置には、該遊技領域２４に打ち出されたパチンコ球を排出するアウト口２５が開設されている。なお、前記装着口の形成数は、遊技盤２０に取り付けられる各種遊技部品の個数や配設位置等により必要に応じて適宜変更される。
【００１９】
実施例の前記遊技盤２０には、図２に示すように、前記案内レール２３で囲まれた遊技領域２４の略中央で開口する装着口に、前後に開口する窓口(開口部)２６ａが形成されたセンター役とも称される枠状装飾体２６が取り付けられ、該枠状装飾体２６の窓口２６ａを介して前記表示装置１７の表示部１７ａが遊技盤２０の前面側に臨むよう構成されている。なお、前記遊技盤２０には、前記遊技領域２４内に多数の遊技釘２７が設けられると共に、前記枠状装飾体２６の左側方に、遊技領域２４を流下するパチンコ球の接触に伴って回転する所謂「風車」とも称される回転案内部材２８が回転自在に支持されており、遊技領域２４を流下するパチンコ球が遊技釘２７や回転案内部材２８に接触することで、流下方向が不規則に変化するよう構成されている。
【００２０】
前記遊技盤２０における第１装着口(枠状装飾体２６)の下方に開設された第２装着口に、遊技領域２４を流下するパチンコ球が入賞可能な第１始動入賞口２９ａを有する始動入賞部２９が取り付けられている。また、遊技盤２０には、第２装着口の左上方に開設された第３装着口に、遊技領域２４を流下するパチンコ球が入賞可能な普通入賞口３０ａが設けられたサイド飾り３０が取り付けられる。更に、遊技盤２０における第２装着口の右上方の遊技領域２４に、上側から第４装着口、第５装着口、第６装着口および第７装着口が開設される。そして、第４装着口に、遊技領域２４を流下するパチンコ球が通過可能な球通過ゲート３１が取り付けられ、第５装着口に、遊技領域２４を流下するパチンコ球が入賞可能な普通入賞口３２ａが設けられた普通入賞口部材３２が取り付けられ、第６装着口に、遊技領域２４を流下するパチンコ球が入賞可能な第２始動入賞口３３ａを有する第２始動入賞装置３３が取り付けられ、第６装着口に、遊技領域２４を流下するパチンコ球が入賞可能な特別入賞口３４ａを有する特別入賞装置３４が取り付けられている。
【００２１】
(枠状装飾体２６について)
前記枠状装飾体２６は、前記第１装着口の内側に沿って延在する環状に形成された枠状基部３５(図４に一部図示)と、該枠状基部３５に設けられて前記遊技盤２０の前面より前方に突出し、前記遊技領域２４と表示装置１７の表示部１７ａを区切る庇状部３６と、該庇状部３６の後縁から外方に延出する薄板状の台板部３７とを備える(図２,図３参照)。そして、前記枠状基部３５を第１装着口に挿入すると共に台板部３７を遊技盤２０の前面に当接した状態で、該台板部３７をネジ等の固定手段で遊技盤２０に固定することで、枠状装飾体２６が遊技盤２０に取り付けられて、該枠状装飾体２６の外側、具体的には庇状部３６と案内レール２３との間にパチンコ球が流下する遊技領域２４が画成されるようになっている。なお、枠状装飾体２６を遊技盤２０に取り付けた状態で、庇状部３６の後端縁から外方に延出する台板部３７が遊技盤２０の前面に沿って延在して、該台板部３７の前側をパチンコ球が通り得るようになっている。
【００２２】
前記枠状装飾体２６の庇状部３６は、枠状装飾体２６(台板部３７)の左側縁の略中間位置から上縁および右下縁に亘って連続して延在するよう設けられており、前記表示装置１７における表示部１７ａの前面側を横切ってパチンコ球が流下(落下)するのを規制している。また庇状部３６は、最上部位置から左右方向に下方傾斜するよう形成されて、遊技領域２４に打ち出されたパチンコ球が庇状部３６上で滞ることなく枠状装飾体２６の左側方または右側方へ誘導案内されるよう形成されている。すなわち、前記打球発射装置により遊技領域２４内に向けて発射されたパチンコ球は、到達位置に応じて枠状装飾体２６の左側の領域か、或いは右側の領域の何れかを流下するよう構成される。なお、実施例では、遊技盤２０における枠状装飾体２６の左側の領域の最下部および右側の領域の最下部に前記アウト口２５が夫々設けられており、各領域を最下部まで流下したパチンコ球を対応するアウト口２５を介して機裏側に排出するよう構成してある。
【００２３】
前記枠状装飾体２６には、図２,図３に示す如く、窓口２６ａの下側(枠状装飾体２６の内周下縁部)に、ステージ３８が配設されると共に、窓口２６ａの左側に、前記遊技領域２４に開口して該遊技領域２４を流下するパチンコ球を枠状装飾体２６の内側(ステージ３８)に取り込む球導入部３９が設けられ、該球導入部３９がステージ３８に連通するよう構成される。そして、球導入部３９からステージ３８に通出されたパチンコ球は、ステージ３８上を左右に転動した後に、前記各入賞口２９ａ,３０ａが設けられている遊技領域２４に排出される。また、ステージ３８の後端縁には、左右方向の全長に亘って上側に向けて所定高さで立上がる透明壁４０が設けられ、ステージ３８上を転動するパチンコ球が表示装置１７の表示部１７ａ側に移動するのを該透明壁４０で防止している。
【００２４】
ここで、実施例では、前記枠状装飾体２６の枠状基部３５や庇状部３６の前側に、各種の意匠が施された複数の装飾部品４１が配設され、該装飾部品４１および透明壁４０によって前記表示装置１７の表示部１７ａを前側に臨ませる窓口２６ａが画成されている。
【００２５】
(始動入賞部２９について)
前記遊技盤２０に配設された前記始動入賞部２９の第１始動入賞口２９ａは、遊技領域２４内で常に上方へ開口する常時開放タイプの入賞口とされ、該第１始動入賞口２９ａは、前記遊技領域２４を流下するパチンコ球が常時一定の確率で入賞可能に構成される。また始動入賞部２９は、前記第１始動入賞口２９ａに入賞したパチンコ球を検出する入賞検出手段としての第１始動入賞検出センサ(図示せず)を備えている。第１始動入賞検出センサは、パチンコ機１０の裏側に配設された制御手段(図示せず)に配線接続されており、該第１始動入賞検出センサによるパチンコ球の検出を契機として制御手段が所定数の賞球を払い出す制御を行うようになっている。
【００２６】
(始動入賞装置３３について)
前記始動入賞装置３３の第２始動入賞口３３ａは、開閉部材３３ｂによって開閉するよう構成されており、駆動手段としての始動入賞ソレノイド(図示せず)の駆動に伴って開閉部材３３ｂが第２始動入賞口３３ａを閉鎖する閉鎖位置と開放する開放位置に変位するよう構成されている。すなわち、第２始動入賞口３３ａは、始動入賞ソレノイドを駆動することでパチンコ球の入賞確率を可変し得るよう構成される。なお、開閉部材３３ｂを閉鎖位置から開放位置に変位して第２始動入賞口３３ａを開放する開放条件および開閉部材３３ｂを開放位置から閉鎖位置に変位して第２始動入賞口３３ａを閉鎖する閉鎖条件としては、開閉部材３３ｂが開放位置に変位している継続時間(第２始動入賞口３３ａの開放時間)が挙げられるが、その他の条件を設定してもよい。
【００２７】
前記始動入賞装置３３は、前記第２始動入賞口３３ａに入賞したパチンコ球を検出する入賞検出手段としての第２始動入賞検出センサ(図示せず)を備えている。第２始動入賞検出センサは、前記制御手段に配線接続されており、該第２始動入賞検出センサによるパチンコ球の検出を契機として制御手段が所定数の賞球を払い出す制御を行うようになっている。
【００２８】
ここで、パチンコ機１０では、第１および第２始動入賞検出スイッチによるパチンコ球の検出に伴って各種情報(乱数等)が取得され、この取得した情報に基づいて制御手段によって特図当り抽選(大当り判定)が行われるよう構成されている。そして、特図当り抽選の結果に基づいて前記表示装置１７の表示部１７ａにおいて図柄変動演出が実行され、該表示装置１７の表示部１７ａでの図柄変動演出の結果、該表示部１７ａに所定の組み合わせ(例えば同一飾図の３つ揃い等)で飾図が確定停止表示されることで、遊技者に有利な大当り遊技状態が付与され、大当り遊技状態の発生に伴って前記特別入賞装置３４を所定の開放条件で開放する大当り遊技(当り遊技)が行われて、遊技者が賞球を獲得し得る機会が与えられるよう構成されている。
【００２９】
(特別入賞装置３４について)
前記特別入賞装置３４の特別入賞口３４ａは、開閉体(開閉部材)３４ｂによって開閉されるよう構成される。開閉体３４ｂは、駆動手段としての特別入賞ソレノイド(図示せず)に連繋されて、該特別入賞ソレノイドを駆動することで、開閉体３４ｂが特別入賞口３４ａへのパチンコ球の入賞を阻止する閉位置と該特別入賞口３４ａへのパチンコ球の入賞を許容する開位置との間を進退移動するよう構成される。また特別入賞装置３４には、前記特別入賞口３４ａに入賞したパチンコ球を検出する特別入賞検出手段としての特別入賞検出センサ(図示せず)が配設されている。特別入賞検出センサは、前記制御手段に配線接続されており、特別入賞検出センサによるパチンコ球の検出を契機として制御手段が所定数の賞球を払い出す制御を行うようになっている。なお、特別入賞装置３４は、開閉体３４ｂにより特別入賞口３４ａを常には閉鎖(入賞不能状態と)するよう構成され、前記大当り遊技(当り遊技)の発生に伴って特別入賞口３４ａを開放(入賞可能状態と)するよう構成されている。
【００３０】
(球通過ゲート３１について)
前記球通過ゲート３１は、該ゲート３１を通過するパチンコ球を検出する球通過検出センサ(図示せず)が設けられている。この球通過検出センサは、前記制御手段に配線接続されており、該球通過検出センサから制御手段への球検出信号の入力に伴って各種情報(乱数等)が取得され、この取得した情報に基づいて制御手段によって普図当り抽選が行われ、該普図当り抽選の結果に応じて前記始動入賞装置３３の始動入賞ソレノイドが駆動制御されて開閉部材３３ｂが開閉動作するようになっている。
【００３１】
(普通入賞口３０ａ,３２ａについて)
前記サイド飾り３０には、図２に示す如く、２つの普通入賞口３０ａが設けられている。これに対し、前記普通入賞部材３２には、前記球通過ゲート３１の下方に１つの普通入賞口３２ａが設けられている。普通入賞口３０ａ,３２ａは、前記遊技領域２４内で常に上方へ開口する常時開放タイプの入賞口とされ、遊技領域２４を流下するパチンコ球が常時一定の確率で入賞可能に構成されている。パチンコ機１０は、普通入賞口３０ａ,３２ａに入賞したパチンコ球を検出する普通入賞検出手段としての普通入賞検出センサ(図示せず)を備えている。普通入賞検出センサは、前記制御手段に配線接続されており、普通入賞検出センサによるパチンコ球の検出を契機として制御手段が所定数の賞球を払い出す制御を行うようになっている。
【００３２】
(発光演出装置４２,４３について)
前記設置部材２２には、図４に示す如く、前記開口部２２ａの上側位置に、前記枠状装飾体２６の窓口２６ａの上縁を画成する前記装飾部品４１の後側に重なって上部発光演出装置４２が配設されている。この上部発光演出装置４２は、発光基板の前面にＬＥＤ等の複数の発光体を実装して構成され、該発光体を発光することで前側に位置する装飾部品４１を明輝させ得るようになっている。また、設置部材２２には、前記開口部２２ａの下側位置に、前記枠状装飾体２６の窓口２６ａの下縁を画成する前記透明壁４０の後側に重なって下部発光演出装置４３が配設されている。この下部発光演出装置４３は、発光基板の前面にＬＥＤ等の複数の発光体を実装して構成され、該発光体を発光することで前側に位置する透明壁４０を明輝させ得るようになっている。
【００３３】
(可動演出装置４４について)
前記設置部材２２の背面板１８に、図４に示す如く、前記遊技盤２０に対して変位可能な複数の可動体４５,４６を備える可動演出装置４４が配設される。可動演出装置４４は、後述する駆動機構７８によって同期して相互に近接・離間移動する一対の可動体４５,４６を備える。実施例では、各可動体４５,４６が対応する待機位置(図４,図７等)と作動位置(図１５〜図１７)との間を夫々上下方向に往復移動することで相互に近接・離間移動すると共に、待機位置と作動位置とでは両可動体４５,４６の上下関係が逆転するよう構成される。上側に位置する第１の可動体４５は、駆動機構７８によって前記枠状装飾体２６における窓口２６ａの上縁部側(開口部縁部側)の待機位置と、該待機位置より窓口中央側(開口部中央側)の作動位置との間を往復移動されるよう構成される。また、下側に位置する第２の可動体４６は、駆動機構７８によって前記枠状装飾体２６における窓口２６ａの下縁部側(開口部縁部側)の待機位置と、該待機位置より窓口中央側(開口部中央側)の作動位置との間を往復移動されるよう構成される。第１の可動体４５の待機位置では、図４に示す如く、該第１の可動体４５が前記上部発光演出装置４２の後側に重なって前側から視認されない状態となり、第１の可動体４５を作動位置(図１５,図１６)に移動することで、該第１の可動体４５が窓口２６ａに臨んで前側から視認可能な状態となるよう構成される。また、第２の可動体４６の待機位置では、図４に示す如く、該第２の可動体４６が前記下部発光演出装置４３の後側に重なって前側から視認されない状態となり、第２の可動体４６を作動位置(図１５,図１６)に移動することで、該第２の可動体４６が窓口２６ａに臨んで前側から視認可能な状態となるよう構成される。
【００３４】
(第１の可動体４５について)
前記第１の可動体４５は、図１０,図１２,図１３に示す如く、該第１の可動体４５の往復移動方向(上下方向)と交差する左右方向に長尺な第１基体４７と、該第１基体４７の前端に配設された第１意匠体４８と、第１基体４７と第１意匠体４８との間に配設された第１発光基板４９とを備える。第１基体４７は、横長矩形状の板部と、該板部の外周縁から前側に突出する側壁とからトレー状に形成された部材であって、該側壁の前端に第１意匠体４８を取り付けることで、第１基部４７と第１意匠体４８との間に画成される収容空間に前記第１発光基板４９が収容されている。また、第１基体４７における左右方向の一方の端部(実施例では右端部)に取着部４７ａが設けられ、該取着部４７ａに、後述する右第１ガイド体７０に摺動自在に支持される第１移動体５０が配設される。第１基体４７における左右方向の他方の端部(実施例では左端部)には、外側方に突出する第１保持体７５(後述)が配設されており、該第１保持体７５が後述する第１ラック部材７２に取り付けられるよう構成される。
【００３５】
前記第１の可動体４５は、前記窓口２６ａの横幅寸法より長尺に形成されて、前記作動位置に移動することで窓口２６ａから前側に臨む前記表示部１７ａに対して左右方向の全幅に亘って前側に重なって、該表示部１７ａを覆い得るよう構成される(図１５参照)。なお、第１の可動体４５の上下方向の寸法は窓口２６ａの上下方向の寸法より短かく設定されており、該第１の可動体４５が作動位置に移動した状態では表示部１７ａを部分的に覆うようになっている。
【００３６】
前記第１意匠体４８は、光透過性で前面にパチンコ機１０のモチーフとなる意匠が施され、前記第１基体４７の幅方向の中央部に配設された中央意匠体４８ａと、該中央意匠体４８ａの左右両側に位置するように第１基体４７に配設された側部意匠体４８ｂ,４８ｂとで構成される。側部意匠体４８ｂは、非光透過性に形成されている。
【００３７】
前記第１発光基板４９は、前記中央意匠体４８ａの後側に位置するように前記第１基体４７に配設されている。第１発光基板４９の前面に、ＬＥＤ等の発光体４９ａが複数実装されており、該発光体４９ａを発光することで中央意匠体４８ａを明輝し得るよう構成される。また、第１発光基板４９と中央意匠体４８ａとの間に、図１０,図１２に示す如く、光透過性で光拡散処理が施された第１光拡散シート５１が配設されており、前記発光体４９ａからの光を該第１光拡散シート５１によって広範囲に拡散することで中央意匠体４８ａの全体を明輝させ得るようになっている。なお、第１光拡散シート５１には、図１０に示す如く、前記中央意匠体４８ａの左右両端部に対応する部分に、第１発光基板４９の対応する発光体４９ａと重なる位置に通孔５１ａが形成されている。すなわち、中央意匠体４８ａの略全体は第１光拡散シート５１によって拡散された光が間接的に照射される一方で、該中央意匠体４８ａと側部意匠体４８ｂ,４８ｂとの境界部分では通孔５１ａを通った光が直接的に照射されることで点状に明輝し、中央意匠体４８ａでの明輝態様に変化を与え得るようにしてある。
【００３８】
(第２の可動体４６について)
前記第２の可動体４６は、図１１,図１２,図１３に示す如く、該第２の可動体４６の往復移動方向(上下方向)と交差する左右方向に長尺な第２基体５２と、該第２基体５２の前端に配設された第２意匠体５３と、第２基体５２と第２意匠体５３との間に配設された第２発光基板５４とを備える。第２基体５２は、横長で中央下部から下方に突部が突設された略Ｔ字状の板部と、該板部の外周縁から前側に突出する側壁とからトレー状に形成された部材であって、該側壁の前端に第２意匠体５３を取り付けることで、第２基体５２と第２意匠体５３との間に画成された収容空間に前記第２発光基板５４が収容されている。また、第２基体５２における左右方向の一方の端部(実施例では右端部)に取着部５２ａが設けられ、該取着部５２ａに、後述する右第２ガイド体７１に摺動自在に支持される第２移動体５５が配設される。第２基体５２における左右方向の他方の端部(実施例では左端部)には、外側方に突出す第２保持体７７(後述)が配設されており、該第２保持体７７が後述する第２ラック部材７６に取り付けられるよう構成される。
【００３９】
前記第２の可動体４６は、前記窓口２６ａの横幅寸法より長尺に構成されて、前記作動位置に移動することで窓口２６ａから前側に臨む前記表示部１７ａに対して左右方向の全幅に亘って前側に重なって、該表示部１７ａを覆い得るよう構成される(図１５参照)。なお、第２の可動体４６の上下方向の寸法は窓口２６ａの上下方向の寸法より短かく設定されており、該第２の可動体４６が作動位置に移動した状態では表示部１７ａを部分的に覆うようになっている。また、前記第２意匠体５３は光透過性に構成されると共に、幅方向の中央部前面にはパチンコ機１０のモチーフとなる意匠５３ａが施されている。
【００４０】
前記第２発光基板５４は、前記第２意匠体５３の後側に位置するように第２基体５２に配設されている。また第２発光基板５４の前面に、ＬＥＤ等の発光体５４ａが複数実装されており、該発光体５４ａを発光することで第２意匠体５３を明輝し得るよう構成される。また、第２発光基板５４と第２意匠体５３との間に、光透過性で光拡散処理が施された第２光拡散シート５６が配設されており、前記発光体５４ａからの光を該第２光拡散シート５６によって広範囲に拡散することで第２意匠体５３の全体を明輝させ得るようになっている。なお、第２光拡散シート５６には、図１２に示す如く、前記第２意匠体５３における意匠５３ａが施されていない領域に対応する部分に、第２発光基板５４の対応する発光体５４ａと重なる位置に通孔５６ａが形成されている。すなわち、第２意匠体５３において意匠５３ａが施されている領域では、第２光拡散シート５６によって拡散された光が間接的に照射されることで全体が明輝するのに対し、意匠５３ａが施されていない領域では通孔５６ａを通った光が直接的に照射されることで点状に明輝し、第２意匠体５３での明輝態様に変化を与え得るようにしてある。
【００４１】
(第１および第２可動体４５,４６の関係について)
前記第１の可動体４５と第２の可動体４６とでは、左右方向の長さは略同じに設定される一方で、上下方向の寸法は第１の可動体４５より第２の可動体４６の方が大きく設定されて、該第２の可動体４６は第１の可動体４５より大型に構成されている。そして、第２の可動体４６の重量は、第１の可動体４５の重量より重くなるよう設定される。すなわち、実施例の可動演出装置４４では、重量の異なる一対の可動体４５,４６を上下方向に相互に近接・離間移動するよう構成される。また実施例では、一対の可動体４５,４６の作動前の待機位置では、図７〜図９に示す如く、重量の重い第２の可動体４６が下方に位置すると共に重量の軽い第１の可動体４５が上方に位置するよう構成されている。更に、一対の可動体４５,４６は、後述するが前記窓口２６ａから前側に臨む前記表示部１７ａの前側において前後方向に離間する位置を移動するように配設されて、両可動体４５,４６が表示部１７ａの前側で前後方向で重なったり重ならなくなる動作演出を行い得るよう構成してある。実施例では、両可動体４５,４６が待機位置と作動位置との間を往復移動する途中で前後に重なると共に、前後の関係ですれ違い得るようになっている。そして、一対の可動体４５,４６の作動後の作動位置では、図１５〜図１７に示す如く、重量の重い第２の可動体４６が上方に位置すると共に重量の軽い第１の可動体４５が下方に位置するよう構成される。なお、実施例では一対の可動体４５,４６の作動位置において、図１５に示す如く、両可動体４５,４６の一部が前後に重なった状態となって、前記表示部１７ａの略全体を前側から覆い得るようになっている。
【００４２】
(支持基体５７について)
前記可動演出装置４４は、前記設置部材２２の背面板１８の前側に配設されて、前記第１の可動体４５および第２の可動体４６が移動自在に支持される支持基体５７を備える。この支持基体５７は、図５〜図８に示す如く、左右方向に離間する一対の支持体５８,５９を備え、左側の第１支持体５８が、前記背面板１８における開口部２２ａより左側前面で上下方向に延在し、右側の第２支持体５９が、前記背面板１８における開口部２２ａより右側前面で上下方向に延在している。そして、両支持体５８,５９を背面板１８に夫々ネジ止め固定することで、支持基体５７が設置部材２２に位置決め固定される。
【００４３】
(第１支持体５８について)
前記第１支持体５８は、図１０,図１２に示す如く、前後の関係で組付けられて上下方向に延在する第２空間６４を内部画成する第１半体６０および第２半体６１と、前側に位置する第１半体６０の前端に配設されて第１半体６０との間に上下方向に延在する第１空間６３を画成する前壁部材６２とから構成される。両空間６３,６４は、図５に示す如く、左側(開口部２２ａの前側)に開放して、後述するラック部材７２,７６に連結した各可動体４５,４６の上下移動が許容されるようになっている。前壁部材６２は、図１０に示す如く、上下方向に延在する前板部６２ａと、該前板部６２ａの上下端部に形成されて後方に延出するガイド支持部６２ｂ,６２ｂとから形成されて、上下のガイド支持部６２ｂ,６２ｂは、前記第１空間６３および第２空間６４の内部に臨むよう構成される。
【００４４】
前記第１支持体５８には、上下方向に延在する左第１ガイド体６５が、前記第１空間６３に臨むようにして前記上下のガイド支持部６２ｂ,６２ｂ間に配設されると共に、該左第１ガイド体６５と平行で上下方向に延在する左第２ガイド体６６が、前記第２空間６４に臨むようにして前記上下のガイド支持部６２ｂ,６２ｂ間に配設されている(図５参照)。各ガイド体６５,６６は断面円形の棒状部材であって、両ガイド体６５,６６は略同じ長さに設定されている。また、左第１ガイド体６５と左第２ガイド体６６とは、図５に示す如く、左右方向に離間して第１支持体５８に配設されている。実施例では、後側に位置する左第２ガイド体６６が前側に位置する左第１ガイド体６５より右側(開口部２２ａ側に偏倚している。すなわち、左第１ガイド体６５および左第２ガイド体６６は、前後方向および左右方向に離間して第１支持体５８に配設されている。なお、２つのガイド体６５,６６が配設される前壁部材６２は、板金から形成されて高い剛性を確保して両ガイド体６５,６６を安定して支持し得るようになっている。
【００４５】
(第２支持体５９について)
前記第２支持体５９は、図１２,図１３に示す如く、上下方向に延在する平板状の側壁部５９ａの前端縁に、左方に延出するように前壁部５９ｂが設けられると共に、該側壁部５９ａの上端部には左方に延出するように第１上ガイド支持部５９ｃが設けられ、該側壁部５９ａの下端部には左方に延出するように下ガイド支持部５９ｅが設けられている。また、側壁部５９ａには、第１上ガイド支持部５９ｃより後側で下方に離間した位置に、左方に延出するように第２上ガイド支持部５９ｄが設けられている。第２支持体５９には、図６に示す如く、側壁部５９ａ、前壁部５９ｂ、各支持部５９ｃ,５９ｄ,５９ｅで画成される空間を前後に仕切る仕切部材６７が配設されており、該仕切部材６７と前壁部５９ｂとの間に画成される第１空間６８に臨むようにして上下方向に延在する右第１ガイド体７０が第１上ガイド支持部５９ｃと下ガイド支持部５９ｅとの間に配設される。また、右第１ガイド体７０と平行で上下方向に延在する右第２ガイド体７１が、仕切部材６７の後方に画成される第２空間６９に臨むようにして第２上ガイド支持部５９ｄと下ガイド支持部５９ｅとの間に配設されている。右第２ガイド体７１は、図９に示す如く、右第１ガイド体７０より短尺に形成されて、右第２ガイド体７１の上端位置は、右第１ガイド体７０の上端位置より低くなるよう設定されている。なお、右第１ガイド体７０および右第２ガイド体７１は、図６に示す如く、前後方向において整列するように位置している。また、右第１ガイド体７０は、前記左第１ガイド体６５と左右方向において整列すると共に、右第２ガイド体７１は、前記左第２ガイド体６６と左右方向において整列している。なお、２つのガイド体７０,７１が配設される第２支持体５９は、板金から形成されて高い剛性を確保して両ガイド体７０,７１を安定して支持し得るようになっている。
【００４６】
(第１の可動体４５の支持構造について)
前記左第１ガイド体６５に、図９に示す如く、第１ラック部材７２が上下方向に移動自在に支持されている。この第１ラック部材７２は、上下方向に長尺な部材であって、上下の端部の夫々に、ローラ取着部材７３を介して左右に離間する一対のローラ７４,７４が自由回転するように取り付けられている。そして、第１ラック部材７２の上端部において対をなすローラ７４,７４の周面間に左第１ガイド体６５が移動自在に挟持されると共に、該第１ラック部材７２の下端部において対をなすローラ７４,７４の周面間に左第１ガイド体６５が移動自在に挟持される(図５参照)。すなわち、左第１ガイド体６５に対して第１ラック部材７２は上下２箇所においてローラ７４,７４によって移動自在に支持されており、左第１ガイド体６５に対して第１ラック部材７２は円滑に移動し得るよう構成してある。
【００４７】
前記第１ラック部材７２には、図１０に示す如く、右端縁部に上下方向に所定長さでラック７２ａが形成されている。また、第１ラック部材７２の前面に、図９に示す如く、該第１ラック部材７２と前記第１の可動体４５とを連結する第１保持体７５が配設されている。第１保持体７５は、図１０に示す如く、上下方向に延在する固定部７５ａと、該固定部７５ａの右側縁の上部から右方に延出するように形成された取付部７５ｂとから構成され、該固定部７５ａを第１ラック部材７２にネジ止め固定することで、取付部７５ｂが第１ラック部材７２の右側縁から右方へ延出するようになっている。そして、この取付部７５ｂに、前記第１の可動体４５の左端部がネジ止め固定されており、該第１の可動体４５の左端部は第１保持体７５を介して第１ラック部材７２に取り付けられるようになっている。また、第１の可動体４５の右端部に配設された前記第１移動体５０が、前記右第１ガイド体７０に上下方向に摺動自在に支持されている。すなわち、前記設置部材２２の開口部２２ａを挟んで左右方向に離間して配置した一対の第１ガイド体６５,７０に架け渡されるように第１の可動体４５が支持されており、該第１の可動体４５は両第１ガイド体６５,７０に沿って上下方向に安定して移動するよう構成される。なお、第１ラック部材７２と第１の可動体４５とを連結する第１保持体７５は、所要の剛性を確保するために板金から構成してある。
【００４８】
ここで、前記第１保持体７５は、第１の可動体４５に配設した状態で、該第１の可動体４５の左端から取付部７５ｂが所定長さで延出しており、該取付部７５ｂの延出部分には、下方に開口する逃げ部７５ｃが上下方向に所定長さで形成されている(図１０参照)。そして、第１の可動体４５が待機位置から作動移動に移動する際に、後述する作動機構８０の歯車８６,８７を支持する軸部８６ａ,８７ａに取付部７５ｂが干渉するのを逃げ部７５ｃによって回避するよう構成してある。また、取付部７５ｂの下端に、前方に突出する突部７５ｄが設けられており、第１の可動体４５が作動位置に至った際に、該突部７５ｄが後述する緩衝部材８９に当接して衝撃を和らげ得るようになっている。
【００４９】
(第２の可動体４６の支持構造について)
前記左第２ガイド体６６に、図９に示す如く、第２ラック部材７６が上下方向に移動自在に支持されている。この第２ラック部材７６は、上下方向に長尺な部材であって、上下の端部の夫々に、ローラ取着部材７３を介して左右に離間する一対のローラ７４,７４が自由回転するように取り付けられている。そして、第２ラック部材７６の上端部において対をなすローラ７４,７４の周面間に左第２ガイド体６６が移動自在に挟持されると共に、該第２ラック部材７６の下端部において対をなすローラ７４,７４の周面間に左第２ガイド体６６が移動自在に挟持される(図５参照)。すなわち、左第２ガイド体６６に対して第２ラック部材７６は上下２箇所においてローラ７４,７４によって移動自在に支持されており、左第２ガイド体６６に対して第２ラック部材７６は円滑に移動し得るよう構成してある。
【００５０】
前記第２ラック部材７６には、図１１に示す如く、右端縁部に前方に突出する突部が上下方向の全長に亘って形成されると共に、該突部の左側面に上下方向に延在するようにラック７６ａが形成されている。また、第２ラック部材７６の後面に、該第２ラック部材７６と前記第２の可動体４６とを連結する第２保持体７７が配設されている。この第２保持体７７は、上下方向に延在する固定部７７ａと、該固定部７７ａにおける上下方向の中央の右側縁から右方に延出するように形成された取付部７７ｂとから構成され、該固定部７７ａを第２ラック部材７６にネジ止め固定することで、取付部７７ｂが第２ラック部材７６の右側縁から右方へ延出するようになっている。そして、この取付部７７ｂに、前記第２の可動体４６の左端部がネジ止め固定されており、第２の可動体４６の左端部は第２保持体７７を介して第２ラック部材７６に取り付けられている。また、第２の可動体４６の右端部に配設された前記第２移動体５５が、前記右第２ガイド体７１に上下方向に摺動自在に支持されている。すなわち、前記設置部材２２の開口部２２ａを挟んで左右方向に離間して配置した一対の第２ガイド体６６,７１に架け渡されるように第２の可動体４６が支持されており、該第２の可動体４６は両ガイド体６６,７１に沿って上下方向に安定して移動するよう構成される。なお、第２ラック部材７６と第２の可動体４６とを連結する第２保持体７７は、所要の剛性を確保するために板金から構成してある。
【００５１】
ここで、前記第２保持体７７を第２の可動体４６に配設した状態で、該第２の可動体４６の左端から右方に離間する位置に臨む固定部７７ａの下端に、後方に突出する突部７７ｃが設けられており、第２の可動体４６が作動位置から待機位置に移動した際に、該突部７７ｃが後述する緩衝部材８９に当接して衝撃を和らげ得るようになっている(図８参照)。
【００５２】
図５,図６,図９に示す如く、前記第１ガイド体６５,７０および第２ガイド体６６,７１は前後に離間して配置されており、一対の第１ガイド体６５,７０に支持された第１の可動体４５と、一対の第２ガイド体６６,７１に支持された第２の可動体４６とは前後方向に離間する位置を上下に移動するよう構成される。また、対応するガイド体６５,７０,６６,７１に支持された第１ラック部材７２のラック７２ａと第２ラック部材７６のラック７６ａとは、前後に離間した位置において左右方向で対向するよう構成されて、両ラック７２ａ,７６ａが共通の作動歯車８７(後述)に噛合し得るようになっている。
【００５３】
(駆動機構７８について)
前記第１支持体５８の前壁部材６２における前板部６２ａに、両可動体４５,４６を連動して相互に反対方向に移動する駆動機構７８が配設されている。この駆動機構７８は、図９,図１４に示す如く、駆動手段としての駆動モータ７９と、該駆動モータ７９と前記第１ラック部材７２および第２ラック部材７６と連繋し、該駆動モータ７９の駆動に伴い作動して両ラック部材７２,７６(可動体４５,４６)を連動させる作動機構８０とを備える。駆動モータ７９は、モータ取付部材８１の裏側に、出力軸を該モータ取付部材８１の前側に延出した状態で配設されると共に、駆動モータ７９はモータ取付部材８１に配設されたモータカバー８２により覆われている。そして、モータ取付部材８１を前板部６２ａにネジ止めすることで、駆動モータ７９が前板部６２ａに位置決め固定される。また、駆動モータ７９の出力軸に駆動歯車８３が一体回転するよう連結されており、該駆動歯車８３は前板部６２ａに回転自在に支持される。
【００５４】
前記作動機構８０は、前板部６２ａに軸部８４ａを介して回転自在に枢支されて駆動歯車８３に噛合する第１伝達歯車８４と、前板部６２ａに軸部８５ａを介して回転自在に枢支され、第１伝達歯車８４に噛合する小径歯車部８５ｂおよび該小径歯車部８５ｂより大径の大径歯車部８５ｃが軸方向に離間して形成された第２伝達歯車８５と、前板部６２ａに軸部８６ａを介して回転自在に枢支され、第２伝達歯車８５の大径歯車部８５ｃに噛合する第３伝達歯車８６と、前板部６２ａに軸部８７ａを介して回転自在に枢支され、第３伝達歯車８６に噛合する作動歯車８７とを備える。作動歯車８７は、前記第１ラック部材７２のラック７２ａおよび第２ラック部材７６のラック７６ａの間に位置して、該作動歯車８７に対して両ラック７２ａ,７６ａが回転軸線を挟む左右両側で噛合している(図９参照)。すなわち、駆動モータ７９を正転および逆転するように駆動することで、複数の伝達歯車８４,８５,８６を介して作動歯車８７が正転方向および逆転方向に回転し、該作動歯車８７に対して左右両側で噛合する第１ラック部材７２と第２ラック部材７６とが相互に反対方向に移動するよう構成される。これにより、第１の可動体４５および第２の可動体４６は、対応するガイド体６５,７０,６６,７１に沿って上下方向に相互に反対方向に移動するようになっている。すなわち、一方の可動体４５,４６が上から下に移動する際にラック７２ａ,７６ａを介して作動歯車８７に作用する力が、他方の可動体４５,４６を下から上に移動する方向に該作動歯車８７を回転するように作用する関係となっている。言い替えれば、一方の可動体４５,４６が上から下に移動する動き(可動体４５,４６の重量)が、他方の可動体４５,４６の下から上への移動を補助する駆動力として作用するように構成されており、駆動モータ７９に加わる負荷を軽減し得るようになっている。
【００５５】
前記作動機構８０において前記作動歯車８７が最上部に位置して、該作動歯車８７の下側に第３伝達歯車８６および第２伝達歯車８５が上下方向に整列するように配置されると共に、作動歯車８７および該作動歯車８７の直下に位置する第３伝達歯車８６は、前記軸部８７ａ,８６ａによって前記前板部６２ａから後方に離間して位置するよう構成される。そして、作動歯車８７および第３伝達歯車８６と前板部６２ａとの間を、前記第１の可動体４５に設けた第１保持体７５の取付部７５ｂが通り得るようになっている。また、取付部７５ｂに設けた前記逃げ部７５ｃ内に各歯車８７,８６の軸部８７ａ,８６ａが収まることで、取付部７５ｂが軸部８７ａ,８６ａに干渉することなく第１の可動体４５の作動位置を下方に下げることができるようになっている(図１７参照)。なお、図１１において符号８８は、前記第１半体６０に配設されて、前記駆動モータ７９から導出する配線(図示せず)を保持する配線保持部材を示している。
【００５６】
図１４に示す如く、前記モータ取付部材８１の上面に取付受部８１ａが設けられ、該取付受部８１ａに、ゴム等からなる緩衝部材８９が配設されており、前記第１保持体７５の突部７５ｄが、第１の可動体４５の作動位置において該緩衝部材８９の上面に当接するようになっている。また、図８,図１１に示す如く、前記第２半体６１の下部位置に取付受部６１ａが設けられ、該取付受部６１ａに、ゴム等からなる緩衝部材８９が配設されており、前記第２保持体７７の突部７７ｃが、第２の可動体４６の待機位置において該緩衝部材８９の上面に当接するよう構成されている。
【００５７】
図１０に示す如く、前記第１ラック部材７２の上端部に検出片７２ｂが上方に突出するように設けられ、該検出片７２ｂは、前記第１支持体５８の上面に設けた検出手段９０によって検出可能に構成されている。なお、前記前壁部材６２に設けた上側のガイド支持部６２ｂにおける検出片７２ｂと対応する位置に上下方向に貫通する通孔６２ｃが形成されると共に、前記第１半体６０の上側の壁には、該通孔６２ｃと対応する位置に切欠部６０ａが形成されている。すなわち、第１ラック部材７２の検出片７２ｂは、通孔６２ｃおよび切欠部６０ａを介して第１支持体５８の上方に延出可能に構成されており、該第１支持体５８から上方に延出した検出片７２ｂを検出手段９０で検出し得るよう構成されている。
【００５８】
前記検出手段９０は、前記制御手段に配線接続されており、該検出手段９０からの検出信号の入力に基づいて制御手段が前記駆動モータ７９を駆動制御し得るよう構成される。前記検出片７２ｂは、第１の可動体４５の待機位置(第２の可動体４６の待機位置)において検出手段９０で検出されて、該検出手段９０の検出信号の入力に基づいて駆動モータ７９を制御手段が停止制御することで、第１の可動体４５および第２の可動体４６を上下方向に最も離間した待機位置に停止保持し得るよう構成される。駆動モータ７９としてステッピングモータが採用され、該駆動モータ７９の駆動によって待機位置から移動を開始した第１の可動体４５および第２の可動体４６を、移動パルス信号の制御によって作動位置で停止するように駆動モータ７９を制御手段で駆動制御し得るよう構成されている。また、駆動モータ７９の回転方向について、可動体４５,４６を待機位置から作動位置へ移動させる方向を正転方向、可動体４５,４６を作動位置から待機位置へ移動させる方向を逆転方向と指称する場合もある。
【００５９】
(第１の可動体４５に係る配線構造について)
前記第１支持体５８の前壁部材６２における前板部６２ａには、図１０に示す如く、前記駆動機構７８の配設位置より上側に、左端から右側に向けて所定長さで切欠部６２ｄが形成されており、該切欠部６２ｄを塞ぐようにしてガイド板９１が前板部６２ａに取り付けられている(図７参照)。また、ガイド板９１の前面下端部に、差込口を上向きに開口したコネクタ受部を設けた第１中継基板９２が配設されている。またガイド板９１には、第１中継基板９２の配設位置より上方で前後方向に貫通する第１配線用通孔９１ａが形成されており、前記第１発光基板４９に接続する配線が該第１配線用通孔９１ａから外側(前側)に引き出され、該配線の端部が第１中継基板９２のコネクタ受部に接続されるようになっている。なお、ガイド板９１は、合成樹脂を材料として形成されており、該ガイド板９１と配線との接触抵抗を低く抑え得るよう構成される。
【００６０】
前記第１の可動体４５に内蔵された前記第１発光基板４９と第１中継基板９２とを接続する配線として、可橈性を有する第１フラットケーブル(フレキシブルフラットケーブル)９３が好適に用いられる(図１０参照)。フラットケーブルは、帯板型の導体をシート状の絶縁体で被覆した可橈性を有するリボン状の配線材であって、幅に対して厚みが極めて小さく設定されて、厚み方向での可橈が容易となっている。第１中継基板９２に一端が接続された第１フラットケーブル９３は、厚み方向が前後方向を向く姿勢で第１配線用通孔９１ａから第１空間６３内に引き込まれる。そして、該第１空間６３内を逆Ｕ字状に湾曲された状態で上下方向に延在するように引き回された第１フラットケーブル９３は、延在方向が９０度折れ曲がるように折り返されることで左右方向に延在し、この左右方向に延在する該ケーブル９３の他端が第１発光基板４９に接続されるようになっている。なお、第１フラットケーブル９３の折り返し部分および左右方向に延在する部分は、前記第１の可動体４５の第１基体４７に配設された第１配線保持部材９４によって変位しないように保持されている。そして、第１の可動体４５が上下方向に移動する際には、第１の可動体４５の左端部から導出した第１フラットケーブル９３の上下方向に延在する部分が可撓することで、該第１の可動体４５のスムーズな移動を許容するよう構成される。また、可橈する第１フラットケーブル９３は、第１半体６０とガイド板９１とによって前後方向の変位が規制されるようになっている。
【００６１】
(第２の可動体４６に係る配線構造について)
前記第１支持部５８における第２半体６１の裏面に、図５,図８,図１１に示す如く、該第２半体６１の後壁との間に左側方に開口する配線用空間９５を画成する配線変位規制部材９６が配設されると共に、該配線変位規制部材９６より下側には第２中継基板９７が配設されている。前記第２の可動体４６に内蔵された前記第２発光基板５４と第２中継基板９７とを接続する配線として、前記第１フラットケーブル９３と同様な可橈性を有する第２フラットケーブル９８が好適に用いられる。第２中継基板９７に一端が接続された第２フラットケーブル９８は、配線変位規制部材９６に形成されて前後方向に貫通する第２配線用通孔９６ａから配線用空間９５内に厚み方向が前後方向を向く姿勢で引き込まれる。そして、該空間９５内を逆Ｕ字状に湾曲された状態で上下方向に延在するように引き回された第２フラットケーブル９８は、延在方向が９０度折れ曲がるように折り返されて左右方向に延在し、この左右方向に延在する該ケーブル９８の他端が第２発光基板５４に接続されるようになっている。なお、第２フラットケーブル９８の折り返し部分および左右方向に延在する部分は、前記第２の可動体４６の第２基体５２に配設された第２配線保持部材９９によって変位しないように保持されている。また、第２配線保持部材９９の左端部は、開口を介して前記配線用空間９５内に挿入されると共に上下方向への移動が開口によって許容されるようになっている(図５参照)。そして、第２の可動体４６が上下方向に移動する際には、第２の可動体４６の左端部から導出した第２フラットケーブル９８の上下方向に延在する部分が可撓することで、該第２の可動体４６のスムーズな移動を許容するよう構成される。また、可橈する第２フラットケーブル９８は、第２半体６１と配線変位規制部材９６とによって前後方向の変位が規制されるようになっている。なお、第２配線保持部材９９は、前後の関係で組付けられる２つの半体から構成されて両半体によって第２フラットケーブル９８を挟持した状態で保持し得るようになっている。
【００６２】
実施例のパチンコ機１０では、前後の関係で配設された可動体４５,４６に設けられる発光基板(電気部品)４９,５４から導出するフラットケーブル(配線)９３,９８は、前記第２半体６１によって前後に仕切られている空間６３,９５(図５参照)内に可橈可能に収容されている。すなわち、可動体４５,４６が待機位置と作動位置との間を移動する際に、該可動体４５,４６が前後の関係で重なると共に上下位置が反転する(すれ違う)構成においても、フラットケーブル９３,９８が相互に干渉したり、一方の可動体４５,４６のフラットケーブル９３,９８が他方の可動体４５,４６に干渉して移動を妨げるのを防止し得るようになっている。
【００６３】
前記第２フラットケーブル９８は、前記第２中継基板９７に接続する端部から第２配線用通孔９６ａを介して配線用空間９５内に引き込まれるまでの部分は、配線変位規制部材９６の裏面に沿って引き回されており、該引き回し部分は配線変位規制部材９６と該配線変位規制部材９６の裏面に配設された挟持板１００とによって挟持されて変位しないよう構成される。
【００６４】
(実施例の作用)
次に、前述のように構成された実施例に係るパチンコ機１０の作用につき説明する。
【００６５】
前記前枠１３の前面側に設けられた前記操作ハンドル１６の操作レバー１６ａを遊技者が回転操作すると、前記打球発射装置から発射されたパチンコ球が前記遊技盤２０に設けた遊技領域２４内に打ち出される。このとき、前記操作レバー１６ａの回動量に応じてパチンコ球の打ち出し位置が変化し、打ち出し位置に応じて遊技領域２４の異なる経路をパチンコ球が流下する。遊技領域２４を流下するパチンコ球が第１始動入賞口２９ａまたは第２始動入賞口３３ａに入賞すると、前記制御手段の制御に基づいて前記表示装置１７での図柄変動演出が開始され、図柄変動演出の結果、表示装置１７に所定の図柄組み合わせが表示されると大当りが発生する。大当りが発生すると、表示装置１７に表示された図柄組み合わせに応じて、前記遊技盤２０に設けられた特別入賞装置３４が開放されると共に、前記制御手段の制御に基づいて表示装置１７において大当り演出が行われる。
【００６６】
前記パチンコ機１０では、前記表示装置１７で行われる図柄変動演出や大当り演出に応じて、前記各発光演出装置４２,４３の発光体が発光されたり点滅され、前記枠状装飾体２６の窓口２６ａの外周において行われる装飾部品４１や透明壁４０を明輝させる発光演出により遊技の興趣が向上される。また、前記可動演出装置４４の可動体４５,４６が動作されると共に、可動体４５,４６に内蔵の発光体４９ａ,５４ａが発光されたり点滅されることで意匠体４８,５３が明輝する発光演出によって遊技の興趣が向上される。
【００６７】
(可動演出装置４４の動作演出について)
前記可動演出装置４４の各可動体４５,４６が待機位置に位置する状態では、図４に示す如く、前記第１の可動体４５が前記上部発光演出装置４２の裏側に隠れると共に、第２の可動体４６が前記下部発光演出装置４３の裏側に隠れている。前記駆動モータ７９が正転方向に回転駆動されると、前記作動機構８０によって第１ラック部材７２および第２ラック部材７６が相互に反対方向に移動される。すなわち、図１５,図１６に示す如く、第１の可動体４５が窓口２６ａの上端縁側から下降することで窓口２６ａから前側に臨む前記表示部１７ａの前側に重なって、該表示部１７ａの一部を隠すようになる。また、第２の可動体４６は、窓口２６ａの下端縁側から上昇することで窓口２６ａから前側に臨む表示部１７ａの前側に重なって、該表示部１７ａの一部を隠すようになる。
【００６８】
前記第１の可動体４５および第２の可動体４６が夫々作動位置に至ると、図１５,図１６に示す如く、上側から下降してきた第１の可動体４５が窓口２６ａに臨んで第２の可動体４６の下側に位置すると共に、下側から上昇してきた第２の可動体４６が窓口２６ａに臨んで第１の可動体４５の上側に位置する。すなわち、窓口２６ａを横切る幅寸法の可動体４５,４６が窓口２６ａの中央側において移動途中で前後に重なってすれ違うように移動して、待機位置とは上下が逆転した位置関係となるので(図９,図１７参照)、インパクトのある動作演出によって興趣を向上し得る。また、両可動体４５,４６の作動位置では、前記表示部１７ａの略全体が前側から覆われるので、よりインパクトを与えて興趣の更なる向上を図ることができる。
【００６９】
実施例のパチンコ機１０では、１基の駆動モータ７９を駆動することで２つの可動体４５,４６を作動機構８０によって連動するよう構成したので、動作を行う可動体の数より少ない駆動手段で対応でき、製造コストの増加を抑制することができる。また、複数の可動体４５,４６に対して駆動モータ７９は１基で済むので、可動演出装置４４の設置スペースを小さくすることができ、省スぺース化を図り得る。更に、実施例のパチンコ機１０では、一対の可動体４５,４６が連動して相互に反対方向に移動するよう構成したので、一方の可動体４５,４６を上から下に移動する際に、該一方の可動体４５,４６の重量を他方の可動体４５,４６を下から上に移動させる駆動力として作用させることができ、駆動モータ７９に加わる負荷を軽減できる。具体的には、図９に示す如く、第１の可動体４５における第１ラック部材７２のラック７２ａと、第２の可動体４６における第２ラック部材７６のラック７６ａとを共通の作動歯車８７に対して回転軸線を挟んで噛合するよう構成してあるので、一方の可動体４５,４６が上から下に移動する際に対応するラック７２ａ,７６ａに噛合する作動歯車８７は他方の可動体４５,４６を下から上に移動する方向に回転されるので、駆動モータ７９の駆動力を軽減でき、小型の駆動モータ７９を採用して更なる低コスト化および省スペース化を図り得る。すなわち、一対の可動体４５,４６を１基の駆動モータ７９で動作させる際に、該駆動モータ７９に作用する負荷を軽減することができる。また、実施例のように一対の可動体４５,４６を略鉛直な上下方向に移動する構成は、上から下に移動する可動体４５,４６の重量を、他方の可動体４５,４６を下から上に移動する駆動力として効率的に作用させることができ、駆動モータ７９の負荷軽減効果が大きい。
【００７０】
実施例のパチンコ機１０では、図８,図９に示す如く、両可動体４５,４６の待機位置において重量の重い第２の可動体４６を第１の可動体４５より下側に位置するようにしたので、第２の可動体４６の重量は、前記作動機構８０によって第１の可動体４５を上方に引き上げる方向に作用し、該第１の可動体４５を待機位置に安定して保持することができる。すなわち、第１の可動体４５を上方の待機位置に保持するために駆動モータ７９を常に正転方向に回転付勢したり、第１の可動体４５を待機位置に保持するための磁石や引張りばね等の手段を別途用いる必要はなく、駆動モータ７９の負担を軽減し得ると共に部品点数を低減し得る。また、両可動体４５,４６を作動位置に移動した後、該可動体４５,４６を待機位置に戻す際には、重量の重い第２の可動体４６が下降する動作によって、重量の軽い第１の可動体４５の作動位置から待機位置への上昇移動を補助する駆動力を大きくすることができるので、駆動モータ７９に加わる負荷を増大させることなく両可動体４５,４６の動作速度を向上することが可能となる。
【００７１】
前記第１の可動体４５を支持する一対の第１ガイド体６５,７０および第２の可動体４６を支持する一対の第２ガイド体６６,７１が配設される前壁部材６２および第２支持体５９の夫々を、剛性の高い板金から形成してあるので、第１の可動体４５および第２の可動体４６を安定して移動させることができる。また、前記作動機構８０に連繋されて左側の第１ガイド体６５および第２ガイド体６６に移動自在に支持される第１ラック部材７２および第２ラック部材７６は、各ガイド体６５,６６に対してローラ７４,７４を介して支持されているので(図５参照)、両可動体４５,４６のスムーズな移動を図ることができる。
【００７２】
実施例のパチンコ機１０では、上方の待機位置と下方の作動位置との間を移動する第１の可動体４５に設けた第１保持体７５の取付部７５ｂに、前記作動機構８０を構成する軸部８７ａ,８６ａとの干渉を回避する逃げ部７５ｃを形成しているので、作動機構８０と干渉することなく第１の可動体４５の作動位置を下げることができる。すなわち、相互に連動する第１の可動体４５および第２の可動体４６の移動範囲を大きくして、インパクトのある動作演出を行うことができ、遊技の興趣を向上し得る。
【００７３】
前記各可動体４５,４６の発光基板４９,５４から導出するフラットケーブル９３,９８を、前後の関係で仕切られている空間６３,９５に収容するようにしたので、該ケーブル９３,９８同士が干渉して可動体４５,４６の動作を妨げることはない。また、一方の可動体４５,４６のフラットケーブル９３,９８が他方の可動体４５,４６に干渉して移動を妨げるのを防止することができ、可動体４５,４６が前後で重なって上下位置が反転するような大きな動きをする構成においても、可動体４５,４６の円滑な移動を図ることができる。
【００７４】
また、フラットケーブル９３,９８は厚み方向を前後方向に向けた姿勢で対応する空間６３,９５内に収容されているので、各可動体４５,４６が移動する際にはフラットケーブル９３,９８が容易に可橈し、該可動体４５,４６の移動をスムーズに行うことができる。更に、フラットケーブル９３,９８は厚み方向を前後方向に向けた姿勢としてあるので、該フラットケーブル９３,９８を引き回すために必要となる前後寸法を小さく抑えることができ、複数の可動体４５,４６を前後の関係で配置した構成において、可動演出装置４４の前後寸法の抑制に寄与し得る。
【００７５】
(変更例)
本願は前述した実施例の構成に限定されるものではなく、その他の構成を適宜に採用することができる。
(1) 実施例では、一対の可動体をラックと歯車を用いた作動機構によって連動するよう構成したが、作動機構としてはベルト等の索体とプーリを用いた機構やリンク機構等、その他公知の各種機構を採用し得る。
(2) 実施例では、一対の可動体を上下方向に移動するよう構成したが、斜め方向に移動するようにしてもよい。
(3) 実施例では、一対の可動体を平行移動するよう構成したが、前後方向に延在する回転軸回りに揺動する構成を採用することができ、ラック−ピニオン、歯車列またはリンク機構等によって一方の可動体が上方から下方に傾動する際に、他方の可動体が下方から上方に傾動するように構成された作動機構を採用すればよい。
(4) 実施例では、一対の可動体が前後方向に離間した位置を移動するよう構成することで、両可動体が前後に重なったり重ならなくなる演出を行い得るようようにしたが、一対の可動体を同一面内で移動するよう構成し、待機位置および作動位置の一方の位置では対向する端部が相互に離間すると共に他方の位置では対向する端部が近接または当接するものであってもよい。
(5) 実施例では、重量が異なる一対の可動体を同期して移動(連動)するよう構成したが、一対の可動体は重量が同じであってもよい。
(6) 実施例では、同期して移動(連動)する可動体が２つの場合で説明したが、可動体の数は３つ以上であってもよい。
(7) 遊技機としては、パチンコ機に限られるものではなく、アレンジボール機やパチンコ球やコインを用いたスロットマシン等、その他各種の遊技機であってもよい。
【符号の説明】
【００７６】
４４ 可動演出装置
４５ 第１の可動体(可動体)
４６ 第２の可動体(可動体)
７９ 駆動モータ(駆動手段)
８０ 作動機構
【図１】
2015173910.tif 000003
【図２】
2015173910.tif 000004
【図３】
2015173910.tif 000005
【図４】
2015173910.tif 000006
【図５】
2015173910.tif 000007
【図６】
2015173910.tif 000008
【図７】
2015173910.tif 000009
【図８】
2015173910.tif 000010
【図９】
2015173910.tif 000011
【図１０】
2015173910.tif 000012
【図１１】
2015173910.tif 000013
【図１２】
2015173910.tif 000014
【図１３】
2015173910.tif 000015
【図１４】
2015173910.tif 000016
【図１５】
2015173910.tif 000017
【図１６】
2015173910.tif 000018
【図１７】
2015173910.tif 000019